(57)【要約】【課題】投影装置及び画像調整方法を提供する。【解決手段】投影装置は、投影面に第１画像を投射する投影部と、入力操作を受け付ける入力部と、投影部及び入力部に電気的に接続される処理装置とを含み、処理装置は、入力部の入力操作に応じて、第１画像を少なくとも１つのブロックに分割し、少なくとも１つのブロックから１つのブロックを調整すべきブロックとして選択し、調整すべきブロックの範囲内で少なくとも１つの制御点を設定し、少なくとも１つの制御点の位置を調整し、第１画像の一部を調整する。本発明の投影装置及び画像調整方法によれば、ユーザが画像の１つのブロックを独立して調整し、画像の他のブロックを調整しないことで、画像の真実性を改善することができ、ユーザの満足度を向上させることができる。【選択図】図３
2020174349.tif 000002
【特許請求の範囲】
【請求項１】
投影面に第１画像を投射する投影手段と、
入力操作を受け付ける入力手段と、
前記投影手段及び前記入力手段に電気的に接続される処理装置と、を含む投影装置であって、
前記処理装置は、前記入力手段の入力操作に応じて、複数のブロック数選択項目を含む第１グループから１つのブロック数選択項目を選択し、前記第１画像を少なくとも１つのブロックに分割し、
前記処理装置は、前記入力手段の入力操作に応じて、前記少なくとも１つのブロックから１つのブロックを調整すべきブロックとして選択し、前記少なくとも１つのブロックのうちの他のブロックを非調整ブロックとし、
前記処理装置は、前記入力手段の入力操作に応じて、前記調整すべきブロックについて、複数の制御点数選択項目を含む第２グループから１つの制御点数選択項目を選択し、前記調整すべきブロックの範囲内で少なくとも１つの制御点を設定し、
前記処理装置は、前記少なくとも１つの制御点の位置を調整し、前記第１画像の一部を調整することを特徴とする投影装置。
【請求項２】
前記少なくとも１つの制御点は、前記調整すべきブロックと１つの非調整ブロックとの境界に位置するエッジ制御点を含み、
前記エッジ制御点の位置を調整する際に、前記調整すべきブロック内に位置する前記第１画像の一部を調整し、前記非調整ブロック内に位置する前記第１画像の他部を調整しないことを特徴とする請求項１に記載の投影装置。
【請求項３】
前記処理装置は、前記少なくとも１つの制御点の位置を調整し、前記第１画像の一部を調整する際に、前記投影手段が調整画像を投射して前記第１画像の前記調整すべきブロックを補正するように前記投影手段を制御することを特徴とする請求項１に記載の投影装置。
【請求項４】
前記調整画像は、前記第１画像に対する変形画像であり、
前記変形画像は、前記少なくとも１つの制御点を変形中心とし、前記調整画像の変形で前記第１画像の変形を補正することを特徴とする請求項３に記載の投影装置。
【請求項５】
前記処理装置は、前記入力手段の入力操作に応じて前記少なくとも１つのブロックから１つのブロックを前記調整すべきブロックとして選択する際に、
少なくとも１つの方向指示信号を入力し、前記少なくとも１つのブロックから選択を行い、
決定信号を入力し、前記少なくとも１つのブロックのうちの１つのブロックを前記調整すべきブロックとして指定することを特徴とする請求項１に記載の投影装置。
【請求項６】
前記少なくとも１つの方向指示信号を入力する際に、前記処理装置の複数の方向キーのうちの１つの方向キーを押すことを特徴とする請求項５に記載の投影装置。
【請求項７】
前記決定信号を入力する際に、決定キーを押すことを特徴とする請求項５に記載の投影装置。
【請求項８】
前記処理装置は、前記入力手段の入力操作に応じて前記第１画像を前記少なくとも１つのブロックに分割する際に、前記投影面に第２画像を投影し、
前記第２画像は、少なくとも１つの第２サブ画像を含み、
前記少なくとも１つの第２サブ画像の数は、前記少なくとも１つのブロックの数と同一であることを特徴とする請求項１に記載の投影装置。
【請求項９】
前記調整すべきブロックの範囲内で前記少なくとも１つの制御点を設定する際に、前記投影面に第３画像を投影し、
前記第３画像は、少なくとも１つの第３サブ画像を含み、
前記少なくとも１つの第３サブ画像の数は、前記少なくとも１つの制御点の数と同一であることを特徴とする請求項１に記載の投影装置。
【請求項１０】
前記調整すべきブロックの範囲内の前記少なくとも１つの制御点は、第１方向に均等に分布していることを特徴とする請求項１に記載の投影装置。
【請求項１１】
前記調整すべきブロックの範囲内の前記少なくとも１つの制御点は、前記第１方向に垂直な第２方向に均等に分布していることを特徴とする請求項１０に記載の投影装置。
【請求項１２】
投影手段、入力手段及び処理装置を含む投影装置の画像調整方法であって、
前記投影手段が投影面に第１画像を投射するステップと、
前記入力手段が入力操作を受け付けるステップと、
前記処理装置が、前記入力手段の入力操作に応じて、複数のブロック数選択項目を含む第１グループから１つのブロック数選択項目を選択し、前記第１画像を少なくとも１つのブロックに分割するステップと、
前記処理装置が、前記入力手段の入力操作に応じて、前記少なくとも１つのブロックから１つのブロックを調整すべきブロックとして選択し、前記少なくとも１つのブロックのうちの他のブロックを非調整ブロックとするステップと、
前記処理装置が、前記入力手段の入力操作に応じて、前記調整すべきブロックについて、複数の制御点数選択項目を含む第２グループから１つの制御点数選択項目を選択し、前記調整すべきブロックの範囲内で少なくとも１つの制御点を設定するステップと、
前記処理装置が、前記少なくとも１つの制御点の位置を調整し、前記第１画像の一部を調整するステップと、を含むことを特徴とする画像調整方法。
【請求項１３】
前記少なくとも１つの制御点は、前記調整すべきブロックと１つの非調整ブロックとの境界に位置するエッジ制御点を含み、
前記エッジ制御点の位置を調整する際に、前記調整すべきブロック内に位置する前記第１画像の一部を調整し、前記非調整ブロック内に位置する前記第１画像の他部を調整しないことを特徴とする請求項１２に記載の画像調整方法。
【請求項１４】
前記処理装置が前記少なくとも１つの制御点の位置を調整し、前記第１画像の一部を調整するステップは、
前記投影手段が調整画像を投射して前記第１画像の前記調整すべきブロックを補正するように、前記処理装置が前記投影手段を制御するステップ、を含むことを特徴とする請求項１２に記載の画像調整方法。
【請求項１５】
前記調整画像は、前記第１画像に対する変形画像であり、
前記変形画像は、前記少なくとも１つの制御点を変形中心とし、前記調整画像の変形で前記第１画像の変形を補正することを特徴とする請求項１４に記載の画像調整方法。
【請求項１６】
前記少なくとも１つのブロックから１つのブロックを前記調整すべきブロックとして選択するステップは、
少なくとも１つの方向指示信号を入力し、前記少なくとも１つのブロックから選択を行うステップと、
決定信号を入力し、前記少なくとも１つのブロックのうちの１つのブロックを前記調整すべきブロックとして指定するステップと、を含むことを特徴とする請求項１２に記載の画像調整方法。
【請求項１７】
前記少なくとも１つの方向指示信号を入力するステップは、
複数の方向キーのうちの１つの方向キーを押すステップ、を含むことを特徴とする請求項１６に記載の画像調整方法。
【請求項１８】
前記決定信号を入力するステップは、
決定キーを押すステップ、を含むことを特徴とする請求項１６に記載の画像調整方法。
【請求項１９】
前記第１画像を前記少なくとも１つのブロックに分割するステップは、
前記投影面に第２画像を投影するステップ、を含み、
前記第２画像は、少なくとも１つの第２サブ画像を含み、
前記少なくとも１つの第２サブ画像の数は、前記少なくとも１つのブロックの数と同一であることを特徴とする請求項１２に記載の画像調整方法。
【請求項２０】
前記調整すべきブロックの範囲内で前記少なくとも１つの制御点を設定するステップは、
前記投影面に第３画像を投影するステップ、を含み、
前記第３画像は、少なくとも１つの第３サブ画像を含み、
前記少なくとも１つの第３サブ画像の数は、前記少なくとも１つの制御点の数と同一であることを特徴とする請求項１２に記載の画像調整方法。
【請求項２１】
前記調整すべきブロックの範囲内の前記少なくとも１つの制御点は、第１方向に均等に分布していることを特徴とする請求項１２に記載の画像調整方法。
【請求項２２】
前記調整すべきブロックの範囲内の前記少なくとも１つの制御点は、前記第１方向に垂直な第２方向に均等に分布していることを特徴とする請求項２１に記載の画像調整方法。
【発明の詳細な説明】
【技術分野】
【０００１】
本発明は、投影技術に関し、特に投影装置及び画像調整方法に関する。
【背景技術】
【０００２】
投影技術の成熟に伴い、画像の真実性に対するユーザの要求が益々高まり、画像の真実性もユーザの満足度に影響する重要な要素となる。投射により形成された画像は投影装置の光学的構造、投影面の平面度などの要因により変形する可能性があるため、投影装置は、ユーザに画面を調整させて真実のスケールを有する画像を表示するように、画像変形を調整する機能を有してもよい。従来技術では、投影装置は、画面全体を調整できるが、画面における単一のブロックを効果的に調整することができない。即ち、ユーザが画面の変形領域を調整すると、他の領域にも関係し、ユーザの不便が増加してしまう。
【０００３】
段落「背景技術」の内容は本発明の内容の理解を補助するためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【発明の概要】
【発明が解決しようとする課題】
【０００４】
本発明は、ユーザに投影装置及び画像調整方法を用いて画像における特定のブロックを独立して調整することができる、該投影装置及び画像調整方法を提供する。
【課題を解決するための手段】
【０００５】
本発明の１つの実施例では、投影面に第１画像を投射する投影手段と、入力操作を受け付ける入力手段と、前記投影手段及び前記入力手段に電気的に接続される処理装置と、を含む投影装置であって、前記処理装置は、前記入力手段の入力操作に応じて、複数のブロック数選択項目を含む第１グループから１つのブロック数選択項目を選択し、前記第１画像を少なくとも１つのブロックに分割し、前記処理装置は、前記入力手段の入力操作に応じて、前記少なくとも１つのブロックから１つのブロックを調整すべきブロックとして選択し、前記少なくとも１つのブロックのうちの他のブロックを非調整ブロックとし、前記処理装置は、前記入力手段の入力操作に応じて、前記調整すべきブロックについて、複数の制御点数選択項目を含む第２グループから１つの制御点数選択項目を選択し、前記調整すべきブロックの範囲内で少なくとも１つの制御点を設定し、前記処理装置は、前記少なくとも１つの制御点の位置を調整し、前記第１画像の一部を調整することを特徴とする投影装置を提供する。
【０００６】
本発明のもう１つの実施例では、投影手段、入力手段及び処理装置を含む投影装置の画像調整方法であって、前記投影手段が投影面に第１画像を投射するステップと、前記入力手段が入力操作を受け付けるステップと、前記処理装置が、前記入力手段の入力操作に応じて、複数のブロック数選択項目を含む第１グループから１つのブロック数選択項目を選択し、前記第１画像を少なくとも１つのブロックに分割するステップと、前記処理装置が、前記入力手段の入力操作に応じて、前記少なくとも１つのブロックから１つのブロックを調整すべきブロックとして選択し、前記少なくとも１つのブロックのうちの他のブロックを非調整ブロックとするステップと、前記処理装置が、前記入力手段の入力操作に応じて、前記調整すべきブロックについて、複数の制御点数選択項目を含む第２グループから１つの制御点数選択項目を選択し、前記調整すべきブロックの範囲内で少なくとも１つの制御点を設定するステップと、前記処理装置が、前記少なくとも１つの制御点の位置を調整し、前記第１画像の一部を調整するステップと、を含むことを特徴とする画像調整方法を提供する。
【発明の効果】
【０００７】
本発明の実施例の投影装置及び画像調整方法によれば、ユーザは画像の１つのブロックを独立して調整することができる。投影装置及び画像調整方法によれば、ユーザは画像の１つのブロックを調整し、画像の他のブロックを調整しないことで、画像の真実性を改善することができ、ユーザの満足度を向上させることができる。
【０００８】
本発明の上述した特徴及び利点をより明確に分かるように、図面を参照しながら、下記実施例に基づいて詳細に説明する。
【図面の簡単な説明】
【０００９】
本発明をより明確になるために図面を提供し、図面は本明細書の一部を構成している。図面は、本発明の実施例を説明し、且つ説明内容と共に本発明の原理を解釈するために用いられる。なお、本発明の実施例をより明確に示すために、図面は必ずしも縮尺に従って描くものではない。
【図１Ａ】本発明の１つの実施例に係る投影装置のシステムを示す図である。
【図１Ｂ】本発明の１つの実施例に係る投影装置のシステムを示す図である。
【図２】本発明の１つの実施例に係る投影装置を示すブロック図である。
【図３】本発明の１つの実施例に係る画像調整方法を示すフローチャートである。
【図４】本発明の１つの実施例に係る画像調整方法のブロック分割を示す図である。
【図５】本発明の１つの実施例に係る画像調整方法のブロック選択を示す図である。
【図６】本発明の１つの実施例に係る画像調整方法の制御点数の選択を示す図である。
【図７Ａ】本発明の１つの実施例に係る調整すべきブロックの調整処理を示す図である。
【図７Ｂ】本発明の１つの実施例に係る調整すべきブロックの調整処理を示す図である。
【発明を実施するための形態】
【００１０】
図１Ａ及び図１Ｂは本発明の１つの実施例に係る投影装置のシステムを示す図である。図１Ａ及び図１Ｂに示すように、本発明の１つの実施例では、投影装置１００は、光ビームを発し、投影面１０に画像Ｉを投射してもよい。図１Ｂに示すように、投影面１０が平坦でない場合、投影装置１００は、投影面１０に、輪郭が不規則な形状となる画像Ｉを形成してもよい。例えば、投影面１０に形成された輪郭は、図１Ｂに示すような不連続的な画像Ｉである。
【００１１】
図２は本発明の１つの実施例に係る投影装置を示すブロック図である。図２に示すように、本発明の１つの実施例では、投影装置１００は、投影部１１０、処理装置１２０、記憶部１３０及び入力部１４０を含む。投影部１１０は、光ビームを発し、投影面１０に画像を投射してもよい。例えば、投影部１１０は、プロジェクタとして実施されてもよい。１つの実施例では、プロジェクタは、光源モジュール、ライトバルブ及び投影レンズを含んでもよい。なお、本発明はこれに限定されない。
【００１２】
光源モジュール（図示せず）は、複数の固体照明源（ｓｏｌｉｄ−ｓｔａｔｅ  ｉｌｌｕｍｉｎａｔｉｏｎ  ｓｏｕｒｃｅ）であってもよく、例えば発光ダイオード（ｌｉｇｈｔ  ｅｍｉｔｔｉｎｇ  ｄｉｏｄｅ）又はレーザーダイオード（ｌａｓｅｒ  ｄｉｏｄｅ）である。光源モジュールは、高輝度放電灯（Ｈｉｇｈ−ｉｎｔｅｎｓｉｔｙ  ｄｉｓｃｈａｒｇｅ）であってもよく、光源モジュールにより生成された照明光ビームはライトバルブ（図示せず）により画像光ビームに変換される。ライトバルブは、例えば反射型又は透過型の空間光変調器（ｓｐａｔｉａｌ  ｌｉｇｈｔ  ｍｏｄｕｌａｔｏｒ）である。空間光変調器（ｓｐａｔｉａｌ  ｌｉｇｈｔ  ｍｏｄｕｌａｔｏｒ）は、デジタルマイクロミラーデバイス（ｄｉｇｉｔａｌ  ｍｉｃｒｏ−ｍｉｒｒｏｒ  ｄｅｖｉｃｅ：ＤＭＤ）又は液晶オンシリコンパネル（ｌｉｑｕｉｄ−ｃｒｙｓｔａｌ−ｏｎ−ｓｉｌｉｃｏｎ  ｐａｎｅｌ：ＬＣＯＳ  ｐａｎｅｌ）であってもよい。透過型の空間光変調器は、例えば透過型液晶パネル（ｌｉｇｈｔ  ｃｒｙｓｔａｌ  ｄｉｓｐｌａｙ  ｐａｎｅｌ：ＬＣＤ  ｐａｎｅｌ）である。画像光ビームは、投影レンズを介して投影面（例えばスクリーン、壁面など）に投影され、投影面に投影画面を形成する。
【００１３】
入力部１４０は、ユーザによる入力部への入力操作を受け付け、対応する入力信号を生成する。処理装置１２０は、入力信号に基づいて対応する機能又は操作を実行してもよい。入力部１４０は、異なる機能に対応する複数の物理的なボタン（例えば方向キー又は決定キー）を含んでもよい。もう１つの実施例では、入力部１４０は、リモートコントローラ１５０からの赤外線を受信し、対応する制御信号を生成して処理装置１２０に送信し、対応する機能を実行するための赤外線受信機をさらに有する。
【００１４】
図２に示す実施例では、処理装置１２０は、投影装置１００に必要な様々な演算を実行する。処理装置１２０は、投影部１１０及び入力部１４０に電気的に接続されている。本発明の１つの実施例では、処理装置１２０は、例えば中央処理装置（Ｃｅｎｔｒａｌ  Ｐｒｏｃｅｓｓｉｎｇ  Ｕｎｉｔ：ＣＰＵ）、マイクロプロセッサ（Ｍｉｃｒｏｐｒｏｃｅｓｓｏｒ）、デジタル信号プロセッサ（Ｄｉｇｉｔａｌ  Ｓｉｇｎａｌ  Ｐｒｏｃｅｓｓｏｒ：ＤＳＰ）、プログラマブルコントローラ、プログラマブルロジックデバイス（Ｐｒｏｇｒａｍｍａｂｌｅ  Ｌｏｇｉｃ  Ｄｅｖｉｃｅ：ＰＬＤ）又は他の同様な装置若しくはこれらの装置の組み合わせであるが、これらに限定されない。
【００１５】
本発明の１つの実施例では、投影装置１００は複数の方向キー及び決定キーをさらに含んでもよく、ユーザは複数の方向キー（例えば、上キー、下キー、左キー、右キー）及び決定キーを用いて投影装置１００に対して入力操作を行う。１つの実施例では、複数の方向キー及び決定キーは、投影装置１００の筐体に設けられてもよい。なお、本発明はこれに限定されず、他の実施例では、複数の方向キーはそれぞれリモートコントローラ１５０に設けられてもよい。例えば、複数の方向キー及び決定キーは、投影装置１００の筐体に設けられ、処理装置１２０に電気的に接続されてもよい。方向キー又は決定キーが外部のトリガー信号を受信した場合（例えば方向キー又は決定キーが押された場合）、対応する信号を生成し、該信号を投影部１１０に送信してもよい。
【００１６】
本発明の１つの実施例では、方向キー及び／又は決定キーは、物理的なボタンとして実施されてもよい。なお、本発明はこれに限定されず、他の実施例では、方向キー及び／又は決定キーは、タッチパネル上の圧力及び／又は温度を感知可能な領域として実施されてもよい。
【００１７】
本発明の１つの実施例では、投影装置１００は、投影部１１０及び処理装置１２０に電気的に接続可能な記憶部１３０をさらに含んでもよい。記憶部１３０は、処理装置１２０の指示によりデータを一時的に記憶する。１つの実施例では、記憶部１３０は、投影部１１０内に設けられてもよい。１つの実施例では、記憶部１３０は、ダイナミックランダムアクセスメモリ（Ｄｙｎａｍｉｃ  Ｒａｎｄｏｍ  Ａｃｃｅｓｓ  Ｍｅｍｏｒｙ：ＤＲＡＭ）、フラッシュメモリ（Ｆｌａｓｈ  ｍｅｍｏｒｙ）、又は不揮発性ランダムアクセスメモリ（Ｎｏｎ−Ｖｏｌａｔｉｌｅ  Ｒａｎｄｏｍ  Ａｃｃｅｓｓ  Ｍｅｍｏｒｙ：ＮＶＲＡＭ）等として実施されてもよい。本実施例では、記憶部１３０は、本発明の各実施例の応用操作を実現するために、本発明の各実施例に必要な各種の命令又はデータを記憶してもよい。
【００１８】
図３は本発明の１つの実施例に係る画像調整方法を示すフローチャートである。図３に示す画像調整方法３００は、図２の投影装置１００により実行されてもいが、これに限定されない。以下は、図２の実施例の投影装置１００及び図３の実施例の画像調整方法３００を参照しながら動作プロセスを説明する。
【００１９】
本発明の１つの実施例では、図２、図３及び図４に示すように、ステップＳ３１０において、投影部１１０は投影面１０に第１画像Ｉ１を投射する。
【００２０】
図２、図３及び図４に示すように、ステップＳ３２０において、入力部１４０はユーザによる入力操作を受け付ける。ステップＳ３３０において、処理装置１２０は、ユーザによる入力部１４０への入力操作に応じて、複数のブロック数選択項目を含む第１グループから１つのブロック数選択項目を選択し、該第１画像Ｉ１を少なくとも１つのブロックＢに分割する。入力部１４０は、ユーザによる入力部１４０への入力操作を受け付け、対応する入力信号を生成する。投影部１１０は、入力信号に基づいて対応する機能又は動作を実行してもよい。
【００２１】
具体的には、図３及び図４を参照しながら説明する。図４は本発明の１つの実施例に係る画像調整方法のブロック分割を示す図である。ステップＳ３３０において、ユーザは、リモートコントローラ１５０又は投影装置１００上の関連する物理的なボタンを押すことにより選択項目画面（例えば、オンスクリーンディスプレイ（ｏｎ  ｓｃｒｅｅｎ  ｄｉｓｐｌａｙ））２０を生成してもよく、選択項目画面２０はリモートコントローラ１５０、投影装置１００の筐体、又は投影面１０に表示されてもよい。選択項目画面２０は複数のブロック数選択項目を提示してもよく、これらのブロック数選択項目は第１グループを構成する。例えば、第１グループは４つのブロック数選択項目を含んでもよく、各ブロック数選択項目は「１×１」、「２×２」、「３×３」及び「５×５」の表示情報をそれぞれ含んでもよいが、本発明はこれに限定されない。具体的には、選択項目画面２０により、ユーザは方向キー及び決定キーを用いて分割しようとするブロック数を選択してもよい。１つの実施例では、ユーザは、投影装置１００の筐体又はリモートコントローラ１５０における方向キー及び決定キーを押し、タッチし、或いは他の方式でトリガーすることで、選択項目画面２０においてこれらのブロック数選択項目から１つのブロック数選択項目を選択してもよい。例えば、ユーザは方向キーの「下キー」を押してもよく、この場合、「下キー」がトリガーされているため、対応する「下」の方向指示信号が生成され、選択項目画面２０において、選択されたブロック数選択項目は「１×１」から「２×２」に変更された。次に、ユーザは決定キーを押してもよく、これに応じて、該ブロック数選択項目「２×２」に対応する決定信号が生成され、第１画像Ｉ１を２×２のブロック数で分割する。
【００２２】
１つの実施例では、これらのブロック数選択項目の各ブロック数選択項目は、記憶部１３０（図２に示す）に記憶された１組の命令に関連付けられてもよい。さらに、表示情報「２×２」を含むブロック数選択項目の例では、記憶部１３０には、該ブロック数選択項目「２×２」に対応する１組の命令が存在する。ブロック数選択項目「２×２」が選択された場合、該組の命令により、投影部１１０が投影面１０に「２×２」個の第２サブ画像を投射し、即ち、第２サブ画像の数は、選択されたブロック数選択項目「２×２」の表示情報と一致してもよい。なお、本発明はこれに限定されない。１つの実施例では、第２サブ画像により構成された画像は第２画像Ｉ２と称されてもよく、第１画像Ｉ１と第２画像Ｉ２は投影面１０に同時に表示され、且つ互いに重なり合ってもよい。本実施例では、これらの第２サブ画像は例えば４つの矩形枠であってもよく、第２画像Ｉ２は該４つの矩形枠を含むグリッド画像である。該グリッド画像は第１画像Ｉ１に重なっており、且つ該第１画像Ｉ１を４つのブロックＢに分割してもよく、該第１画像Ｉ１の４つのブロックＢはそれぞれ第２画像Ｉ２の４つの矩形枠内に位置する。
【００２３】
本実施例では、第１画像Ｉ１は、行（Ｒｏｗ）の方向に２つのブロック（Ｂｌｏｃｋ）Ｂに分割され、列（Ｃｏｌｕｍｎ）の方向に２つのブロックＢに分割される。システムの観点から、第２画像Ｉ２は、行（Ｒｏｗ）の方向に３つのブロックポイント（Ｂｌｏｃｋ  ｐｏｉｎｔ）ＢＰを含み、列（Ｃｏｌｕｍｎ）の方向に３つのブロックポイントＢＰを含む。このため、ブロックポイントＢＰを結ぶ線により、２×２個の第２サブ画像を構成し、第１画像Ｉ１を２×２個のブロックを分割する。なお、本実施例では、行の方向及び／又は列の方向において、各ブロックポイントＢＰが等間隔で配列され、且つ行の方向において生成された制御点の数が列の方向において生成された制御点の数と同一であってもよい。行の方向における３つのブロックポイントＢＰの例では、第１画像Ｉ１の各ブロックＢの幅が同一であるように、２つのブロックポイントＢＰがそれぞれ第１画像Ｉ１の境界に位置してもよく、もう１つのブロックポイントＢＰが該２つのブロックポイントＢＰの中央に位置してもよいが、本発明はこれに限定されない。なお、第１画像Ｉ１の列方向における分割は行方向と同様であるため、説明を簡潔にするため、ここでその説明を省略する。
【００２４】
なお、本実施例の第２画像Ｉ２の複数の第２サブ画像の数及び形式は単なる一例であり、本発明を制限するものではない。１つの実施例では、第２画像Ｉ２は、オンスクリーンディスプレイ（Ｏｎ  Ｓｃｒｅｅｎ  Ｄｉｓｐｌａｙ：ＯＳＤ）画像技術を利用して投影面１０に表示されてもよい。
【００２５】
本実施例では、画像調整を行う前に、ユーザは、リモートコントローラ１５０におけるメニュー（ｍｅｎｕ）キーを押し、タッチし、或いは他の方式でトリガーすることで、リモートコントローラ１５０又は投影装置１００に選択項目画面２０を表示させてもよい。
【００２６】
図３に戻り、ステップＳ３４０において、処理装置１２０は、ユーザによる入力部１４０への入力操作により生成された入力信号に基づいて、第１画像Ｉ１の少なくとも１つのブロックＢから１つのブロックを調整すべきブロックとして選択し、他のブロックを非調整ブロックとする。
【００２７】
具体的には、図３及び図５を参照しながら説明する。図５は本発明の１つの実施例に係る画像調整方法のブロック選択を示す図である。本実施例では、例えば、第２画像Ｉ２の複数の第２サブ画像のうちの１つの第２サブ画像を高い輝度で表示してもよく、これによって、該第２サブ画像により覆われた第１画像Ｉ１のブロックＢが選択ブロックであることを示す。なお、本発明はこれに限定されず、例えば、他の実施例では、強調表示、色の変更、又はインジケータの追加により、ユーザに現在の第１画像Ｉ１における選択ブロックを示してもよい。
【００２８】
この実施例では、ユーザは方向キーにより選択ブロックを変更してもよく、例えば、ユーザは右キーを押すことで右側の第２サブ画像を高輝度で表示される第２サブ画像に変更してもよい。それに応じて、第１画像Ｉ１では、右側のブロックＢは選択ブロックに変更される。さらに、ユーザが右キーを押すと、該右キーがトリガーされ、「右」の方向指示信号が生成され、該信号が投影部１１０に伝送される。よって、投影部１１０により投射された第２画像Ｉ２では、高輝度で表示された第２サブ画像が右へ１グリッドだけ移動し、それに応じて、第１画像Ｉ１では、選択ブロックＢが右へ１グリッドだけ移動する。同様に、ユーザは上、下、左、右などの異なる方向の方向キーにより第１画像Ｉ１の複数のブロックＢから調整しようとするブロックを選択し、決定キーにより選択ブロックを調整すべきブロックに設定してもよい。さらに、ユーザが決定キーを押すと、決定キーがトリガーされ、決定信号が生成され、該決定信号が投影部１１０に伝送される。よって、現在の高輝度で表示された第２サブ画像により覆われたブロックＢは調整すべきブロックとして設定される。
【００２９】
図３に示すように、ステップＳ３５０において、処理装置１２０は、入力部１４０の入力操作に応じて、調整すべきブロックについて、複数の制御点数選択項目を含む第２グループから１つの制御点数選択項目を選択し、該調整すべきブロックの範囲内で少なくとも１つの制御点を設定する。
【００３０】
具体的には、選択された制御点数選択項目により指示された制御点数に基づいて、調整すべきブロックの範囲内で少なくとも１つの制御点を設定する。ステップＳ３５０において、選択項目画面３０はリモートコントローラ１５０、投影装置１００の筐体、又は投影面１０に表示されてもよく、該選択項目画面３０は複数の制御点数の選択項目、例えば図６に示す選択項目「２×２」、「３×３」、「５×５」及び「９×９」を提示してもよい。これらの制御点数選択項目は第２グループを構成する。図６は本発明の１つの実施例に係る画像調整方法の制御点数の選択を示す図である。図３及び図６に示すように、第２グループは４つの制御点数選択項目を含んでもよく、各制御点数選択項目は「２×２」、「３×３」、「５×５」及び「９×９」の表示情報をそれぞれ含むが、本発明はこれに限定されない。具体的には、選択項目画面３０により、ユーザは、方向キー及び決定キーにより、第１画像の該調整すべきブロック内で設定しようとする制御点の数を選択してもよい。ユーザは、方向キー及び決定キーを押し、タッチし、或いは他の方式でトリガーすることで、選択項目画面３０において、これらの制御点数選択項目から１つの制御点数選択項目を選択してもよい。例えば、ユーザが方向キーの「下キー」を押す場合、「下キー」がトリガーされ、「下」の方向指示信号が生成され、該信号が投影部１１０に伝送される。選択項目画面３０では、選択された制御点数選択項目は「２×２」から「３×３」と変更される。次に、ユーザは、決定キーを押すことで、制御点数選択項目「３×３」に対応する決定信号を生成し、第１画像Ｉ１の調整すべきブロックＢについて、「３×３」個の制御点を設定してもよい。
【００３１】
１つの実施例では、これらの制御点数選択項目の各制御点数選択項目は、記憶部１３０に記憶された１組の命令に関連付けられてもよい。さらに、表示情報「３×３」を含む制御点数選択項目の例では、記憶部１３０には、該制御点数選択項目に対応する１組の命令が存在する。制御点数選択項目「３×３」が選択された場合、該組の命令により、投影部１１０が投影面１０に「３×３」個の第３サブ画像を投影してもよく、即ち、第３サブ画像の数は、選択された制御点数選択項目の表示情報と一致してもよい。なお、本発明はこれに限定されない。１つの実施例では、これらの第３サブ画像により構成された画像は第３画像Ｉ３と称されてもよく、第３画像Ｉ３は第２画像Ｉ２及び第１画像Ｉ１と共に投影面１０に同時に表示されてもよい。本実施例では、これらの第３サブ画像は例えば９個の中実の点であってもよく、第３画像Ｉ３は該９個の中実の点を含む画像である。該画像は第２画像Ｉ２及び第１画像Ｉ１の上に重なり、第２画像Ｉ２の第２サブ画像及び該第２サブ画像によりマッピングされた第１画像Ｉ１のブロックを覆ってもよい。
【００３２】
なお、本実施例の第３画像Ｉ３の複数の第３サブ画像の数及び形式は単なる一例であり、本発明を制限するものではない。例えば、他の実施例では、第３サブ画像は中実／中空の正方形の点、中実／中空の円形の点、及び／又は中実／中空の三角形の点を含んでもよい。１つの実施例では、第３画像Ｉ３は、オンスクリーンディスプレイ（Ｏｎ  Ｓｃｒｅｅｎ  Ｄｉｓｐｌａｙ：ＯＳＤ）画像技術を用いて投影面１０に表示してもよい。なお、本発明はこれに限定されず、他の実施例では、選択項目画面３０は、例えばリモートコントローラ１５０に表示されてもよいし、投影装置１００の筐体に表示されてもよい。
【００３３】
さらに、「３×３」の選択項目の例では、図６に示すように、第３画像Ｉ３は、行（Ｒｏｗ）の方向に３つの制御点ＡＰを含み、列（Ｃｏｌｕｍｎ）の方向に３つの制御点ＡＰを含む。即ち、合計９個の制御点がある。これに応じて、制御点ＡＰの行及び列における位置を調整することで、第１画像Ｉ１の調整すべきブロック内の画像を調整してもよい。
【００３４】
１つの実施例では、制御点ＡＰは、第１方向（例えば行の方向）及び第２方向（例えば列の方向）に等間隔で配列されてもよい。行方向における３つの制御点ＡＰの例では、２つの制御点ＡＰはそれぞれ調整すべきブロックの境界に位置し、もう１つの制御点ＡＰは上記２つの制御点ＡＰの中央に位置してもよいが、本発明はこれに限定されない。
【００３５】
１つの実施例では、図６に示すように、複数の制御点ＡＰは、調整すべきブロックの境界に位置するエッジ制御点ＥＡＰ、及び調整すべきブロックの範囲内に位置する内部制御点ＩＡＰを含んでもよい。
【００３６】
図３に示すように、ステップＳ３６０において、処理装置１２０は、少なくとも１つの制御点ＡＰの位置を調整し、第１画像Ｉ１の一部を調整する。本発明の１つの実施例では、例えばリモートコントローラ１５０又は投影装置１００の筐体に設けられた方向キーにより、方向制御信号を生成し、制御点ＡＰの投影面１０における表示位置を移動し、それに応じて、第１画像Ｉ１の調整すべきブロックＢ内の該制御点ＡＰに対応する位置の画像を調整してもよい。
【００３７】
具体的には、図７Ａ及び図７Ｂを参照しながら説明する。図７Ａ及び図７Ｂは本発明の１つの実施例に係る調整すべきブロックの調整処理を示す図である。
【００３８】
図７Ａの実施例では、ユーザはエッジ制御点ＥＡＰの位置を調整する。例えば、本実施例では、ユーザはエッジ制御点ＥＡＰの位置を下に移動させる。エッジ制御点ＥＡＰの移動に応じて、処理装置１２０は、投影部１１０が調整画像を投射して第１画像Ｉ１の調整すべきブロックＢを補正するように投影部１１０を制御する。具体的には、調整画像は、第１画像に対して変形した画像であってもよい。該調整画像の変形は、上記エッジ制御点ＥＡＰの移動に対応し、平坦でない投影面１０による第１画像Ｉ１の変形を補正し、即ち、調整画像の変形は第１画像Ｉ１の変形を補正するために用いられてもよい。これによって、投影面１０に好適な画像を表示し、画像の真実性を改善し、ユーザの満足度を向上させることができる。ユーザがエッジ制御点ＥＡＰの位置を下に移動させる実施例では、第１画像Ｉ１の調整すべきブロックＢに対応する位置における画像を調整し、該エッジ制御点ＥＡＰを変形中心として下に移動させる。該調整画像の変形は非線形なものであり、即ち該エッジ制御点ＥＡＰの位置に近づくほど、調整画像の変形がより明確になり、エッジ制御点ＥＡＰの位置から遠くなるほど、調整画像の変形がより目立たなくなる。なお、本発明はこれに限定されない。
【００３９】
図７Ｂの実施例では、ユーザはエッジ制御点ＥＡＰ１、ＥＡＰ２の位置を調整する。例えば、ユーザは、エッジ制御点ＥＡＰ１、ＥＡＰ２を下に移動させる。本実施例では、投影部１１０が調整画像を投影して第１画像Ｉ１を補正することの詳細は図７Ａに示す実施理恵と同様であり、ここで相違点のみを説明し、他の部分の説明を省略する。図７Ｂに示す実施例では、エッジ制御点ＥＡＰ２が調整すべきブロックと非調整ブロックとの境界に位置する場合、投影部１１０により投射された調整画像は、調整すべきブロックに対応する位置における画像が変形（例えば下に移動）しているが、非調整ブロックに対応する位置における画像が変形していない。なお、本発明はこれに限定されない。図７Ｂに示すように、エッジ制御点ＥＡＰ２の左側（調整すべきブロック内）に位置する画像を調整し、エッジ制御点ＥＡＰ２の右側（非調整ブロック内）に位置する画像がそのまま維持する。
【００４０】
本発明の１つの実施例では、画像を調整する際に、第１画像を複数のブロックに分割し、そのうちの１つのブロック内の画像を調整し、他のブロック内の画像をそのまま維持する。これによって、投影面１０が不連続である場合（図１Ｂに示す）、ユーザは、画像の異なるブロックを単独して調整することで、画像の連動変形によるユーザの調整時の不便を回避することができる。
【００４１】
以上のことから、本発明の実施例の投影装置及び画像調整方法によれば、ユーザは画像の１つのブロックを独立して調整することができる。投影装置及び画像調整方法によれば、ユーザは画像の１つのブロックを調整し、画像の他のブロックを調整しないことで、画像の真実性を改善することができ、ユーザの満足度を向上させることができる。
【００４２】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。
【符号の説明】
【００４３】
１００    投影装置
１１０    投影部
１２０    処理装置
１３０    記憶部
１４０    入力部
１５０    リモートコントローラ
３００    画像調整方法
Ｉ    画像
Ｉ１    第１画像
Ｉ２    第２画像
Ｉ３    第３画像
２０、３０    選択項目画面
Ｂ    ブロック
ＢＰ    ブロックポイント
ＡＰ、ＥＡＰ、ＩＡＰ    制御点
ＥＰ    境界制御点
Ｓ３１０〜Ｓ３６０    ステップ
【図１Ａ】
2020174349.tif 000003
【図１Ｂ】
2020174349.tif 000004
【図２】
2020174349.tif 000005
【図３】
2020174349.tif 000006
【図４】
2020174349.tif 000007
【図５】
2020174349.tif 000008
【図６】
2020174349.tif 000009
【図７Ａ】
2020174349.tif 000010
【図７Ｂ】
2020174349.tif 000011